(57)【特許請求の範囲】
【請求項１】
上面側が開放された有底箱形状に形成され、内部に培土を入れて植物を栽培するプランターにおいて、
該プランターの底面の上方の培土中には該底面と平行状に底マットが敷設され、該プランターの側面の内側の培土中には該側面と平行状に側面マットが縦設されてなり、
前記底マットおよび側面マットは、毛細管現象を生じる不織布で構成され、水性ペイントで混合した銅化合物が乾燥されて保持されているとともに、
前記底マットおよび側面マットには、タンクからの給水用の配管の先端がそれぞれ接続されている
ことを特徴とする植物栽培装置。
【発明の詳細な説明】
【技術分野】
【０００１】
本発明は、植物栽培装置に関するものである。
【背景技術】
【０００２】
従来、例えば植物を容器内で栽培する場合、植物の根が容器の内壁に沿って伸長を続け、根のルーピングが生じて根がコイル状あるいは鳥かご状になることがあり、このように容器内でコイル状あるいは鳥かご状に根が伸長すると、新根の発生や成長を阻害し、水や肥料の吸収が効率的に行われにくくなる。また、栽培終了後でも容器の内壁に根がこびり付き、容器の再利用にも障害をきたすものであった。
このような事態を回避するために、例えば特許文献１に開示されているように、内壁に水不溶性重金属の被膜をコーティングした容器の使用が提案されている。
【先行技術文献】
【特許文献】
【０００３】
【特許文献１】特開２００３−２３８６５号公報
【発明の概要】
【発明が解決しようとする課題】
【０００４】
前記特許文献１に開示されているような容器を使用する場合は、種々の植物に対応した寸法形状の多数の容器を製作しておかなければならず、また、植物の種類によっては、そのような容器を用いて栽培するのが不適当なものもあるという問題点があった。
【課題を解決するための手段】
【０００５】
本発明は、根のこびり付きが生ずることなく良好に植物を栽培できる植物栽培装置の提供を目的とし、この目的の少なくとも一部を達成するために以下の手段を採った。
本発明の植物栽培装置は、
上面側が開放された有底箱形状に形成され、内部に培土を入れて植物を栽培するプランターにおいて、
該プランターの底面の上方の培土中には該底面と平行状に底マットが敷設され、該プランターの側面の内側の培土中には該側面と平行状に側面マットが縦設されてなり、
前記底マットおよび側面マットは、毛細管現象を生じる不織布で構成され、水性ペイントで混合した銅化合物が乾燥されて保持されているとともに、
前記底マットおよび側面マットには、タンクからの給水用の配管の先端がそれぞれ接続されている
ことを要旨とする。
【発明の効果】
【０００６】
底マットおよび側面マットには、水性ペイントで混合した銅化合物が乾燥されて水に溶けることなく強固に付着した状態に保持されているため、植物の根がこの底マットおよび側面マットに近づかなくなり、植物の根が底マットおよび側面マットにへばり付き固まってしまうことがなく、底マットおよび側面マットの毛細管現象が阻害されることが良好に防がれるので、底マットおよび側面マットに水を補給して、底マットおよび側面マットを介して常に培土中に水分を供給することができ、培土への給水機能が安定化するものとなる。
【図面の簡単な説明】
【０００７】
【図１】ポット内の培土中に、縦方向の２本のマットを配設した植物栽培装置の斜視構成図である。
【図２】ポット内の培土中に、３本のマットを縦方向に配設した植物栽培装置の斜視構成図である。
【図３】ポット内の培土中に、４本のマットを縦方向に配設した植物栽培装置の斜視構成図である。
【図４】プランター内の培土中に底マットを配設した植物栽培装置の斜視構成図である。
【図５】プランター内の培土中に側面マットを２個配設した植物栽培装置の斜視構成図である。
【図６】プランター内の培土中の底側と左右の側面側にそれぞれマットを配設した植物栽培装置の斜視構成図である。
【図７】ポットの内壁面に重金属化合物の層を形成させた斜視構成図である。
【発明を実施するための形態】
【０００８】
次に、本発明を実施するための形態を実施例を用いて説明する。
【実施例１】
【０００９】
図１は、略有底筒状に上面が開放されて形成されたポット１であり、このポット１は、プラスチック，ポリ塩化ビニール，生分解性プラスチック，紙あるいは素焼き等の素材で形成されている。
このポット１内に培土を入れて植物を栽培するのであるが、本例では、ポット１内の培土内に、間隔をおいて対向状に２本のマット２，２が縦方向に配設される。この２本のマット２，２，は、ポット１の内周面から少し内側の位置の培土内に縦設されるものであり、各マット２とポット１の内壁面間には培土が入り込んでいる。
このマット２は、不織布を短冊状にしたものであり、この各マット２には、重金属化合物がその表面あるいは内面に保持されている。
【００１０】
なお、各マット２に保持される重金属化合物としては、例えば銅，銀，錫などの化合物が挙げられるが、安価に入手できる銅化合物が好ましく、銅化合物としては、水酸化第二銅，塩基性塩化銅あるいは脂肪酸銅が好ましい。なお、脂肪酸銅化合物としては、カプロン酸銅，エナント酸銅，カプリン酸銅，ペラルゴン酸銅，ラウリン酸銅，ミリスチン酸銅，ソルビン酸銅などが挙げられる。
【００１１】
マット２の表面あるいは内面に重金属化合物を保持させるには、例えば以下のような方法を採用する。
市販されている水性アクリルペイント，水性シリコンアクリルペイント，水性ウレタンアクリルペイントの何れかを用意し、また、例えば、市販されている水酸化第二銅を７６．８％含む微粒の三明ケミカル株式会社製の商品名「コサイドボルドー」（果樹や茶や野菜の殺菌剤として使用される銅水和剤である）、あるいは、塩基性酸化銅を含む農薬である商品名「ドイツボルドーＡ」や「サンボルドー」を用意する。
【００１２】
微粒の商品名「コサイドボルドー」を用いた例を示すと、水性ペイント１０に対しコサイドボルドーを１の割合で混ぜて、さらに水を加えて混ぜ合わせ、液状となったものを噴霧器に入れて、不織布製のマット２に噴霧し、噴霧した後にマット２を乾燥させる。
水性ペイントとしてアクリル樹脂やウレタン樹脂が混入されているものを用いれば、乾燥後には、水に溶けることのない塗膜がマット２に形成されることとなる。
【００１３】
なお、噴霧器によらずローラー等を用いてマット２に塗布しても良く、また、銅化合物を水性ペイントで混合した液中にマット２を浸漬させて、その後に乾燥させたものであっても良い。
なお、銅化合物は水酸化第二銅，塩基性塩化銅，脂肪酸銅の中から選ばれた１種類あるいは２種類以上のものを用いることができ、これを水性ペイントで混合して塗布し乾燥させることで、確実にマット２に銅化合物を保持させることができるものである。
【００１４】
このように形成したマット２を、図１のように、ポット１内の培土中に間隔をおいて縦設させておき、培土中で植物を栽培すると、植物の根はポット１の内周面に沿って伸長するが、マット２に根が近づき根の成長点がマット２に接触した時に根の成長が停止し、根がポット１内でコイル状あるいは鳥かご状となるルーピングが良好に防止される。
なお、根の成長が止まると、根の基部から新しく分岐根が出てくることとなり、多数の新しい分岐根の先端から養分や水分を活発に吸うことができて、養分や水分を多く吸い取り植物の成長が早まるものとなる。
【００１５】
なお、例えば、菊の栽培を行う場合は、開花前までは上記のように成長を早めて樹勢を高めておく必要があるが、開花してから（または開花前から）は樹勢を衰えさせて成熟作用を強める必要がある。そのため、その時期になると、ポット１からマット２，２を上方へ引き抜いて、培土中にマット２，２が存在しない状態とする。そうすることで、ポット１内では容器の内周に沿って根のルーピングが始まり、これにより菊の樹勢を衰えさせることができる。
【００１６】
なお、根のルーピング防止をより強固に図りたい場合には、図２のように、ポット１内の培土中に間隔をおいて３本のマット２，２，２を縦方向に配設しても良く、さらには図３のように、培土中に間隔をおいて４枚のマット２，２，２，２を配設しても良い。なお、この場合にも、マット２，２は縦方向に設けて、適宜必要な時期にポット１から上方へ抜き取ることができるようにしておき、栽培する植物に対応して植物の樹勢をコントロールすることができるものとなる。
【実施例２】
【００１７】
次に、図４で示すものは、プランター３内の培土の底側に水平状に底マット４を敷設して植物を栽培する場合である。
プランター３は、底面３ａと長尺の長側面３ｂ，３ｂと短尺の短側面３ｃ，３ｃで、上面側が開放された有底箱形状に形成されており、側面に孔を開けて配管７を通しタンク６と連繋させておくことができ、タンク６内の水が配管７を通り底マット４に供給されて、底マット４は常に水で濡れている状態に保持しておくことができ、栽培する植物の根はこの底マット４からの水分を吸収して成長するものである。
この底マット４にも銅化合物が保持されている。即ち、銅化合物を水性ペイントで混合した液を底マット４に塗布し、乾燥させて、底マット４の表面あるいは内部に銅化合物が保持されており、乾燥後の底マット４に配管７を接続して使用するため、水に濡れても保持されている銅化合物が流出することはない。
【００１８】
なお、プランター３の底に土を２ｃｍ程度入れて、その上に、乾燥後の底マット４を配管７を接続した状態で敷設し、さらに底マット４上に培土を入れて、この培土に種を蒔いて植物を栽培することができる。
底マット４はタンク６からの水により常に濡れているため、植物の根はこの底マット４に向かって集まりやすく、根が集まりすぎて、植物の根が底マット４にへばり付いて固まってしまうと、底マット４の毛細管現象が阻害されて培土への水の供給が不安定となるが、本例の底マット４には銅化合物が保持されているため、植物の根がこの底マット４に近づかなくなり、植物の根が底マット４にへばり付くことがなく、培土への給水機能が安定化するものとなる。
【００１９】
次に、図５に示すものは、プランター３の長側面３ｂ，３ｂの内側の培土中に、長側面３ｂ，３ｂに対しほぼ平行状にして側面マット５，５をそれぞれ縦設させたものであり、各側面マット５，５には、タンク６に接続された配管７の他端がそれぞれ接続されている。なお、プランター３の長側面３ｂ内周と側面マット５間にも培土が入れられている。
【００２０】
さらに図６に示すものは、大型の植物用の大型のプランター３であり、図６では、プランター３の底面３ａの上方に、底面３ａと平行状に底マット４が敷設され、さらに、プランターの長側面３ｂ，３ｂの内側に隙間をおいてそれぞれ側面マット５，５を縦方向に配設したものであり、タンク６からの配管７の先端がそれぞれ底マット４および側面マット５，５に接続されており、タンク６からの水で、底マット４および側面マット５，５は常に濡れた状態に保持されるものである。
【００２１】
この図５および図６における側面マット５にも、同様に、水性ペイントで混合した銅化合物が塗布され、乾燥されて保持されており、植物の根が側面マット５に集まってへばり付き固まってしまうことがなく、底マット４および側面マット５の毛細管現象が阻害されることが良好に防がれて、常に培土中に底マット４および側面マット５から安定的に給水されるように構成されている。
【００２２】
なお、図７に示すポット１は、その内周面に、縦方向に銅化合物の層２ａ，２ａを形成させたものであり、銅化合物を水性ペイントで混合した液をスプレーあるいはローラー等でポット１の内周面に塗布して形成したものである。
このような構造のポット１を用いて植物を栽培する際にも、根のルーピングを良好に防止できるものとなる。
【００２３】
なお、銅化合物を水性ペイントに混合した液は、その他、屋上緑化用に屋上に敷設される屋上用マットあるいは配管の排水口等にも塗布して、乾燥させることで、良好に銅化合物をこれらに保持させておくことができ、植物の根のへばり付きによる詰まり等が生じないようにすることができる。
【符号の説明】
【００２４】
１  ポット
２  マット
３  プランター
３ａ  底面
３ｂ  長側面
４  底マット
５  側面マット
６  タンク
７  配管
【図１】
0005743467.tif 000002
【図２】
0005743467.tif 000003
【図３】
0005743467.tif 000004
【図４】
0005743467.tif 000005
【図５】
0005743467.tif 000006
【図６】
0005743467.tif 000007
【図７】
0005743467.tif 000008